(57)【要約】【課題】軽くて安価で、なおかつ垂直方向の強度を十分に確保した荷役用パレットを提供する。【解決手段】底板１０と、上板２０と、それらの底板と上板間に設けられてそれらの間隔を保持する複数の支柱３０とからなる荷役用パレットにおいて、支柱が、樹脂製ボトル５０と、その周囲を被う筒状部材４０とで構成されている。樹脂製ボトルとしては、内容量２８０ｍｌ入りのペットボトルが使用されている。一方、筒状部材は、側面に透孔が形成された上蓋のない箱形状に形成されている。【選択図】図１
2010126160.tif 000002
【特許請求の範囲】
【請求項１】
底板と、上板と、それらの底板と上板間に設けられてそれらの間隔を保持する複数の支柱とからなる荷役用パレットにおいて、前記支柱が、樹脂製ボトルを用いて構成されていることを特徴とする荷役用パレット。
【請求項２】
前記樹脂製ボトルとして、廃棄品が再利用されて使用されていることを特徴とする、請求項１に記載の荷役用パレット。
【請求項３】
前記樹脂製ボトルとして、ペットボトルが使用されていることを特徴とする、請求項２に記載の荷役用パレット。
【請求項４】
前記ペットボトルが、内容量２８０ｍｌ入りの容器であることを特徴とする、請求項３に記載の荷役用パレット。
【請求項５】
前記支柱が、前記樹脂製ボトルと、その周囲を被う筒状部材とで構成されていることを特徴とする、請求項１に記載の荷役用パレット。
【請求項６】
前記筒状部材が、箱形状に形成されていることを特徴とする、請求項５に記載の荷役用パレット。
【請求項７】
前記筒状部材が、上蓋のない箱形状に形成されていることを特徴とする、請求項６に記載の荷役用パレット。
【請求項８】
前記筒状部材が、底部のある箱形状に形成され、その筒状部材の底部に前記樹脂製ボトルの底部が当接されていることを特徴とする、請求項６に記載の荷役用パレット。
【請求項９】
前記筒状部材が、側面に透孔が形成されていることを特徴とする、請求項５ないし８のいずれか１に記載の荷役用パレット。
【請求項１０】
前記筒状部材は、下端が前記底板に、上端が前記上板に接着されていることを特徴とする、請求項５ないし９のいずれか１に記載の荷役用パレット。
【請求項１１】
前記上板には、前記樹脂製ボトルの口部が入り込む嵌合穴があけられていることを特徴とする、請求項１ないし１０のいずれか１に記載の荷役用パレット。
【請求項１２】
前記上板は、複数枚の板材を重ね合わせて構成され、前記嵌合穴のあけられている板材の上に前記嵌合穴があけられていない板材が設けられていることを特徴とする、請求項１１に記載の荷役用パレット。
【発明の詳細な説明】
【技術分野】
【０００１】
この発明は、物品の荷役を行う際に用いられる荷役用パレットに関する。特に、複写機、ファクシミリ、プリンタ等の製品を包装した物品などの荷役用パレットに関するものである。
【背景技術】
【０００２】
従来、この種の荷役用パレットは、段ボールよりなる底板と上板、およびそれらの底板と上板間に設けられてそれらの間隔を保持する複数の支柱とからなる。複数の支柱は、例えば底板と上板間の四隅と中央の５ヶ所に設けられており、特許文献１や特許文献２などに記載されている段ボール製のもの、特許文献３や特許文献４に記載されている樹脂製のものの他、金属製のものなど、様々なものが使用されている。
【０００３】
【特許文献１】実用新案登録第３０７１０２８号公報
【特許文献２】特開平０６−０９９９８４号公報
【特許文献３】特開２００７−２１０６２３号公報
【特許文献４】特開２００７−１７６５３４号公報
【発明の開示】
【発明が解決しようとする課題】
【０００４】
しかしながら、従来の荷役用パッレトでは、支柱に段ボール製のものを用いると、十分な強度を確保できない一方、支柱に樹脂製や金属製のものを用いると、十分な強度を確保することができるものの、高価になってしまう問題があった。また、金属製のものを用いると、重いという欠点もあった。
【０００５】
そこで、この発明の第１の目的は、軽くて安価で、なおかつ垂直方向の強度を十分に確保した荷役用パレットを提供することにある。
【０００６】
この発明の第２の目的は、廃棄品を再利用して廃棄量を低減し、より安価で環境に留意した荷役用パレットを提供することにある。
【０００７】
この発明の第３の目的は、リサイクル使用を容易として、軽量かつ安価で、省資源を考慮した荷役用パレットを提供することにある。
【０００８】
この発明の第４の目的は、荷役用パレットとして最適な支柱の高さ寸法を確保した荷役用パレットを提供することにある。
【０００９】
この発明の第５の目的は、支柱に水平方向から加わる外力に対して、十分な強度を確保した荷役用パレットを提供することにある。
【００１０】
この発明の第６の目的は、支柱の組み立てを簡単として、組み立て作業性を考慮した荷役用パレットを提供することにある。
【００１１】
この発明の第７の目的は、筒状部材の上から樹脂製ボトルを挿入することで支柱の組み立てを簡単として、より組み立て作業効率を向上した荷役用パレットを提供することにある。
【００１２】
この発明の第８の目的は、荷役用パレットにかかる上からの荷重を確実に樹脂製ボトルで支える構成の荷役用パレットを提供することにある。
【００１３】
この発明の第９の目的は、筒状部材内に樹脂製ボトルが使用されていることが容易に認識できる荷役用パレットを提供することにある。
【００１４】
この発明の第１０の目的は、樹脂製ボトルへの接着剤等の不純物の付着を防止し、樹脂製ボトルの再利用を可能とした荷役用パレットを提供することにある。
【００１５】
この発明の第１１の目的は、組み立て作業における支柱の位置決めを容易にし、さらに作業効率を高めた荷役用パレットを提供することにある。
【００１６】
この発明の第１２の目的は、荷役用パレットにかかる上からの荷重が確実に樹脂製ボトルへ伝わる荷役用パレットを提供することにある。
【課題を解決するための手段】
【００１７】
このため、請求項１に係る発明は、上述した第１の目的を達成すべく、底板と、上板と、それらの底板と上板間に設けられてそれらの間隔を保持する複数の支柱とからなる荷役用パレットにおいて、前記支柱が、樹脂製ボトルを用いて構成されていることを特徴とする。
【００１８】
請求項２に係る発明は、上述した第２の目的を達成すべく、請求項１に記載の荷役用パレットにおいて、前記樹脂製ボトルとして、廃棄品が再利用されて使用されていることを特徴とする。
【００１９】
請求項３に係る発明は、上述した第３の目的を達成すべく、請求項２に記載の荷役用パレットにおいて、前記樹脂製ボトルとして、ペットボトルが使用されていることを特徴とする。
【００２０】
請求項４に係る発明は、上述した第４の目的を達成すべく、請求項３に記載の荷役用パレットにおいて、前記ペットボトルが、内容量２８０ｍｌ入りの容器であることを特徴とする。
【００２１】
請求項５に係る発明は、上述した第５の目的を達成すべく、請求項１に記載の荷役用パレットにおいて、前記支柱が、前記樹脂製ボトルと、その周囲を被う筒状部材とで構成されていることを特徴とする。
【００２２】
請求項６に係る発明は、上述した第６の目的を達成すべく、請求項５に記載の荷役用パレットにおいて、前記筒状部材が、箱形状に形成されていることを特徴とする。
【００２３】
請求項７に係る発明は、上述した第７の目的を達成すべく、請求項６に記載の荷役用パレットにおいて、前記筒状部材が、上蓋を持たない箱形状に形成されていることを特徴とする。
【００２４】
請求項８に係る発明は、上述した第８の目的を達成すべく、請求項６に記載の荷役用パレットにおいて、前記筒状部材が、底部のある箱形状に形成され、その筒状部材の底部に前記樹脂製ボトルの底部が当接されていることを特徴とする。
【００２５】
請求項９に係る発明は、上述した第９の目的を達成すべく、請求項５ないし８のいずれか１に記載の荷役用パレットにおいて、前記筒状部材が、側面に透孔が形成されていることを特徴とする。
【００２６】
請求項１０に係る発明は、上述した第１０の目的を達成すべく、請求項５ないし９のいずれか１に記載の荷役用パレットにおいて、前記筒状部材は、下端が前記底板に、上端が前記上板に接着されていることを特徴とする。
【００２７】
請求項１１に係る発明は、上述した第１１の目的を達成すべく、請求項１ないし１０のいずれか１に記載の荷役用パレットにおいて、前記上板には、前記樹脂製ボトルの口部が入り込む嵌合穴があけられていることを特徴とする。
【００２８】
請求項１２に係る発明は、上述した第１２の目的を達成すべく、請求項１１に記載の荷役用パレットにおいて、前記上板は、複数枚の板材を重ね合わせて構成され、前記嵌合穴のあけられている板材の上に前記嵌合穴があけられていない板材が設けられていることを特徴とする。
【発明の効果】
【００２９】
請求項１に係る発明によれば、支柱が樹脂製ボトルを用いて構成されているので、軽くて安価で、なおかつ垂直方向の強度を十分に確保した荷役用パレットを提供することができる。
【００３０】
請求項２に係る発明によれば、支柱が廃棄品を再利用して構成されているので、廃棄量を低減し、より安価で、環境に留意した荷役用パレットを提供することができる。
【００３１】
請求項３に係る発明によれば、樹脂製ボトルとしてペットボトルが使用されているので、支柱を構成する部品のリサイクル使用を容易とし、軽量かつ安価で、省資源を考慮した荷役用パレットを提供することができる。
【００３２】
請求項４に係る発明によれば、ペットボトルが内容量２８０ｍｌ入りの容器であるので、最適な支柱の高さ寸法を確保した荷役用パレットを提供することができる。
【００３３】
請求項５に係る発明によれば、支柱が、樹脂製ボトルと、その周囲を被う段ボール、硬質紙等からなる筒状部材とで構成されているので、支柱に水平方向（側面）から加わる外力に対して、十分な強度を確保した荷役用パレットを提供することができる。
【００３４】
請求項６に係る発明によれば、筒状部材が箱形状に形成されているので、支柱の組み立てを簡単として、組み立て作業性を考慮した荷役用パレットを提供することができる。
【００３５】
請求項７に係る発明によれば、筒状部材が、上蓋のない箱形状に形成されているので、筒状部材の上から樹脂製ボトルを挿入することで支柱の組み立てを簡単として、より組み立て作業効率を向上した荷役用パレットを提供することができる。
【００３６】
請求項８に係る発明によれば、筒状部材が、底部のある箱形状に形成され、その筒状部材の底部に樹脂製ボトルの底部が当接されているので、荷役用パレットにかかる上からの荷重を確実に樹脂製ボトルで支える構成の荷役用パレットを提供することができる。
【００３７】
請求項９に係る発明によれば、筒状部材が、側面に透孔が形成されているので、筒状部材内に樹脂製ボトルが使用されていることが容易に認識できる荷役用パレットを提供することができる。
【００３８】
請求項１０に係る発明によれば、筒状部材は、下端が底板に、上端が上板に接着されているので、樹脂製ボトルへの接着剤等の不純物の付着を防止し、樹脂製ボトルの再利用を可能とした荷役用パレットを提供することができる。
【００３９】
請求項１１に係る発明によれば、上板に樹脂製ボトルの口部が入り込む嵌合穴があけられているので、組み立て作業における支柱の位置決めを容易とし、さらに作業効率を高めた荷役用パレットを提供することができる。
【００４０】
請求項１２に係る発明によれば、上板は、複数枚の板材を重ね合わせて構成され、嵌合穴のあけられている板材の上に嵌合穴があけられていない板材が設けられているので、荷役用パレットにかかる上からの荷重が確実に樹脂製ボトルへ伝わる荷役用パレットを提供することができる。
【発明を実施するための最良の形態】
【００４１】
以下、図面を参照しつつ、この発明の実施の最良形態につき説明する。
図１には、この発明による荷役用パレットを斜め上から見て示し、図２には、その中央縦断面を示す。
【００４２】
図示荷役用パレットは、複写機、ファクシミリ、プリンタ等の製品を包装した物品などの荷役を行う際に用いられるものであり、平面矩形状の底板１０と、ほぼ同じ外形の平面矩形状の上板２０と、それらの底板１０と上板２０間に設けられてそれらの間隔を保持する複数の支柱３０とからなる。
【００４３】
底板１０は、段ボールや硬質紙などを用いて形成されており、いくつかの窓１１が設けられている。上板２０も、同様に段ボールや硬質紙などを用いて形成され、例えば複数枚の板材を重ね合わせて構成されている。この例では、上板２０は、２枚の下板材２１と上板材２２とが重ね合わせて構成されており、図３には、その上板２０を斜め上から見て示し、図４には、その上板２０を下板材２１と上板材２２とに分離して示す。
【００４４】
図３および図４からわかるとおり、下板材２１には、後述する樹脂製ボトル５０の口部５２の大きさに合わせた複数の嵌合穴２３があけられているが、上板材２２には、１つの嵌合穴もあけられていない。嵌合穴２３は、この例では、支柱３０が配置されている位置である、下板材２１の四隅と、それらの互いの中間に、全部で計９つ設けられている。
【００４５】
図５には、荷役用パレットの四隅のうちの１つの支柱３０部分の拡大縦断面を示す。
図に示すように、支柱３０は、筒状部材４０と樹脂製ボトル５０と構成されている。すなわち、支柱３０は、樹脂製ボトル５０を用いて構成されており、その周囲を被うように角筒状や円筒状の筒状部材４０が設けられている。筒状部材４０は、この例では、段ボールや硬質紙などを用いて、上蓋がなく、底部４１のある箱形状に形成されている。他方、樹脂製ボトル５０には、廃棄品が再利用されて使用されている。この例では、飲料などを入れて一度以上使用したペットボトルが回収されて使用されている。
【００４６】
図６には、樹脂製ボトル５０として使用されている内容量２８０ｍｌ入りのペットボトルを示す。図７には、そのペットボトルを筒状部材４０に挿入する状態を示し、図８には、挿入後の状態を示す。
【００４７】
内容量２８０ｍｌ入りのペットボトルは、図６に示すようにその高さ寸法がｈ（約１３０ｍｍ）であり、図７に示すようにそのボトル底部５１を下、口部５２を上にして上方から筒状部材４０に挿入すると、図５に示すようにボトル底部５１が筒状部材４０の底部４１に当接されて、図８に示すように筒状部材４０内に収納される。よって、容易に組立が可能となり、作業効率を向上することができる。また、樹脂製ボトル５０が筒状部材４０内に収納されていることが、筒状部材４０の側面に形成されている透孔４２を透して、外から簡単に確認することができ、例えば環境面に配慮した荷役用パレットであることをアピールすることができる。透孔４２は、図示例では、円形であるが、円形に限らず、角形その他であっても、筒状部材４０内に樹脂性ボトル５０が収納されていることが外から容易に確認できるものであればよい。
【００４８】
そして、各支柱３０は、図５に示すように、樹脂製ボトル５０の口部５２が上板２０の下板材２１の嵌合穴２３に入れて位置決めされ、上板材２２に突き当てて上板２０を支持してなり、筒状部材４０の下端を底板１０に、上端を上板２０に接着して底板１０と上板２０間に固定されている。これにより、樹脂製ボトルへ５０への接着剤等の不純物付着を防止し、樹脂製ボトル５０の再利用を可能とすることができる。また、荷役用パレットにかかる上からの荷重が、複数の支柱３０の、特に樹脂製ボトル５０によって確実に支えられるようになっている。
【００４９】
以上のように構成するから、この発明に係る荷役用パレットでは、支柱３０が樹脂製ボトル５０を用いて構成されているので、軽くて安価で、なおかつ垂直方向の強度を十分に確保することができる。支柱３０が廃棄品を再利用して構成されていると、廃棄量を低減し、より安価で、環境に留意した荷役用パレットを提供することができる。
【００５０】
樹脂製ボトル５０としてペットボトルが使用されていると、支柱３０を構成する部品のリサイクル使用を容易とし、軽量かつ安価で、省資源を考慮した荷役用パレットを提供することができる。ペットボトルが内容量２８０ｍｌ入りの容器であると、高さ寸法ｈのペットボトルを挟んで、底板１０と上板２０間を荷役用パレットとして最適に確保してフォークリフトの爪などの挿入を容易とすることができる。また、支柱が、樹脂製ボトルと、その周囲を被う段ボール、硬質紙等からなる筒状部材とで構成されていると、支柱に水平方向（側面）から加わる外力に対して、十分な強度を確保した荷役用パレットを提供することができる。
【図面の簡単な説明】
【００５１】
【図１】この発明による荷役用パレットの斜視図である。
【図２】その中央縦断面図である。
【図３】その荷役用パレットに使用されている上板の斜視図である。
【図４】その上板を下板材と上板材とに分離して示す斜視図である。
【図５】その荷役用パレットの四隅のうちの１つの支柱部分の拡大縦断面図である。
【図６】その荷役用パレットに使用されている樹脂製ボトルとして使用されている内容量２８０ｍｌ入りのペットボトルの正面図である。
【図７】そのペットボトルを筒状部材に挿入する状態を示す斜視図である。
【図８】挿入後の状態を示す斜視図である。
【符号の説明】
【００５２】
１０    底板
２０    上板
２１    下板材（嵌合穴のあけられている板材）
２２    上板材（嵌合穴のあけられていない板材）
２３    嵌合穴
３０    支柱
４０    筒状部材
４１    筒状部材の底部
４２    筒状部材の透孔
５０    樹脂製ボトル
５１    樹脂製ボトルの底部
５２    樹脂製ボトルの口部
【図１】
2010126160.tif 000003
【図２】
2010126160.tif 000004
【図３】
2010126160.tif 000005
【図４】
2010126160.tif 000006
【図５】
2010126160.tif 000007
【図６】
2010126160.tif 000008
【図７】
2010126160.tif 000009
【図８】
2010126160.tif 000010